(57)【特許請求の範囲】
【請求項１】
複数本の光源ランプ及び光拡散層を有する表示装置用照明装置であって、
該光源ランプは、曲線部分を有するものであり、
該表示装置用照明装置は、複数本の光源ランプの曲線部分の少なくとも一部をランプフレームで覆い隠すとともに、有効表示領域の外に有する構造を有するものであり、複数本の光源ランプの曲線部分から生じる光の少なくとも一部が減光又は遮光されたものであり、光源ランプの曲線部分の少なくとも一部の表示側とは反対側に減光処理が施された反射部材を有するものであり、かつ直下型バックライトとして用いるものである
ことを特徴とする表示装置用照明装置。
【請求項２】
複数本の光源ランプ及び光拡散層を有する表示装置用照明装置であって、
該光源ランプは、折り返し部分を有するものであり、
該表示装置用照明装置は、複数本の光源ランプの折り返し部分の少なくとも一部をランプフレームで覆い隠すとともに、有効表示領域の外に有する構造を有するものであり、複数本の光源ランプの折り返し部分から生じる光の少なくとも一部が減光又は遮光されたものであり、光源ランプの折り返し部分の少なくとも一部の表示側とは反対側に減光処理が施された反射部材を有するものであり、かつ直下型バックライトとして用いるものである
ことを特徴とする表示装置用照明装置。
【請求項３】
前記折り返し部分は、２以上の屈曲部と該屈曲部の間の直線部とからなることを特徴とする請求項２記載の表示装置用照明装置。
【請求項４】
前記表示装置用照明装置は、光源ランプの曲線部分又は折り返し部分の少なくとも一部の表示側に減光又は遮光処理が施された光学部材を有するものであることを特徴とする請求項１〜３のいずれかに記載の表示装置用照明装置。
【請求項５】
前記減光又は遮光処理が施された光学部材は、拡散板、拡散シート及びレンズシートからなる群より選ばれた少なくとも１つ以上の光学部材であることを特徴とする請求項４記載の表示装置用照明装置。
【請求項６】
前記表示装置用照明装置は、光源ランプの曲線部分又は折り返し部分の少なくとも一部に減光又は遮光処理が施されたものであることを特徴とする請求項１〜５のいずれかに記載の表示装置用照明装置。
【請求項７】
前記減光又は遮光処理は、光源ランプの曲線部分又は折り返し部分の変形自由度を制約する機能を有することを特徴とする請求項６記載の表示装置用照明装置。
【請求項８】
前記減光処理が施された反射部材は、反射シートであることを特徴とする請求項１〜７のいずれかに記載の表示装置用照明装置。
【請求項９】
前記減光又は遮光処理は、印刷により施されたものであることを特徴とする請求項４、５、６、７又は８記載の表示装置用照明装置。
【請求項１０】
前記減光処理は、減光度合いの変化をつけたグラデーションを施したものであることを特徴とする請求項４、５、６、７、８又は９記載の表示装置用照明装置。
【請求項１１】
前記反射部材に施された減光処理は、減光度合いの変化をつけたグラデーションを施したものであることを特徴とする請求項１又は２記載の表示装置用照明装置。
【請求項１２】
請求項１〜１１のいずれかに記載の表示装置用照明装置を備えることを特徴とする液晶表示装置。
【発明の詳細な説明】
【技術分野】
【０００１】
本発明は、表示装置用照明装置、液晶表示装置及び光源ランプに関する。より詳しくは、液晶表示素子に透過領域を有する透過型又は半透過型の液晶表示装置のバックライトを構成するものとして好適な表示装置用照明装置、それを備える液晶表示装置、及び、光源ランプに関するものである。
【背景技術】
【０００２】
表示装置用照明装置は、光による表示手段を有する装置を照明するためのものであり、例えば、液晶表示装置におけるバックライト部等において広く用いられている。すなわち、液晶表示装置においては、液晶パネル自体が発光しないことから、通常では透過型又は半透過型の液晶表示装置において、光を液晶パネルに入光させるバックライト部として表示装置用照明装置が備えられている。このような液晶表示装置は、情報や映像の表示手段に欠かすことができないものとなっており、近年では、例えば、民生映像用モニタ、産業機器用モニタ、情報携帯端末等の表示パネルにおいて、低消費電力、軽量、薄型という液晶表示の特徴を充分に生かした高品位の製品が注目され、その応用分野が広がりつつある。【０００３】
ところで、液晶表示装置に用いられるバックライトとしては、現在２大方式としてエッジライト型（サイドライト型）及び直下型（ダイレクト型）がある。
エッジライト型の場合には、構造的特徴として図８に示されるように、導光板と呼ばれる透明な板７１の側面に冷陰極管等の棒状光源７２が配置されている。この場合、光源から導光板７１に入光させ、それを導光板７１内から、シボ加工、印刷、プリズム処理等により液晶パネル７５側に出光させている。これにより、薄型化が可能であるが、一方で明るさを稼ぐために光源を増やすと、そのままモジュールの厚さに響くことになる。また、いわゆる導光板７１は、アクリル等の重い連続体が用いられるため、２０型を超える大型になると重くなってしまう。【０００４】
一方、直下型の場合には、構造的特徴として図９に示されるように、液晶パネル等の表示素子８７の背面に、冷陰極管等の複数の棒状光源８３を有している。この場合、棒状光源８３の光をほぼダイレクトに表示素子８７に入光させているが、棒状光源８３の像を消すために拡散板８５を表示素子８７と光源８３との間に有する場合が多い。これにより、多くの光源８３を配置でき、光量を稼ぐことができ、ダイレクトに表示素子８７に入光させるため光のロスが少なく、また、２０インチを超える大型化が容易に実施できる等の利点を有するが、一方で光源８３の本数が多く部品点数が多くなり、光源８３の駆動回路も大掛かりなものとなる。更に、消費電力も大きく、発熱の総量が多くなる。【０００５】
このような液晶表示装置は、小型の表示素子において進歩が始まり、ノート型パーソナルコンピュータ（ＰＣ）や携帯電話のディスプレイとして市場に広がり、その技術が開発されてきた。これらの分野においては、表示サイズも１５型程度までが主流であり、薄型化が必要条件で、商品性の観点からエッジライト型が選択されてきた。
現在では、液晶表示装置は、より大きなマザーガラスを用いたプロセスの完成等によって、飛躍的な大型化を遂げ、家庭用のテレビとしての地位を築けるまでに至っている（２０型〜５０型）。このようなテレビは、ＰＣや携帯電話以上に明るさが重要な基本性能となっている。例えば、通常ＰＣモニタでは２５０ｃｄ／ｍ２程度の仕様値に対して、テレビでは５００ｃｄ／ｍ２以上の輝度仕様が求められている。このような背景からは、大型かつ高輝度なバックライトを提供するためには直下型バックライトが好適である。【０００６】
従来の表示装置用照明装置としては、直下型バックライトを用いた液晶表示装置において、バックライト（線状光源）と直交する方向のフレーム側壁や、線状光源間のフレームに傾斜を与えることにより、線状光源の両端領域での輝度低下を補償して液晶パネルを均一な輝度分布で照明するものが開示されている（例えば、特許文献１参照。）。また、液晶パネルの背面にＵ字状、Ｓ字状、Ｍ字状等の蛍光管を設置した液晶テレビ装置の照明構造が開示されている（例えば、特許文献２参照。）。
しかしながら、これらの装置においては、商品性を向上するために高品位でかつ大型化が求められ、しかも低コストが求められる液晶分野等において適切に対応することができるようにする工夫の余地があった。例えば、部品点数を減少させ、製造において利点を有するものとし、また、液晶表示装置等に適用される場合に消費電力の面で効果的なものとしたうえで、高品位で商品性が高いものとするために、特に液晶テレビ等の開発においてこれらの特性を高めるために、照明装置の構造的特徴について工夫する余地があった。
【特許文献１】特開平１１−８４３７７号公報（第１−２頁）
【特許文献２】特開昭６２−１０２２２６号公報（第１−４頁）
【発明の開示】
【発明が解決しようとする課題】
【０００７】
本発明は、上記現状に鑑みてなされたものであり、部品点数を減少させ、また、消費電力の面で効果的なものとしたうえで、優れた表示品位を得ることができる表示装置用照明装置、それを備える液晶表示装置、及び、光源ランプを提供することを目的とするものである。
【課題を解決するための手段】
【０００８】
本発明者らは、液晶表示装置のバックライト等に好適に適用することができ、例えば、大型かつ高輝度な表示装置用照明装置について種々検討するうち、Ｕ字管等の曲線部分を有する光源ランプと光拡散層とを有するものが液晶表示装置等を構成するバックライトに有用であることに先ず着目した。例えば、Ｕ字管を用いる場合、Ｕ字管一つが直管２本分であるため、光源ユニットの部品点数が半分になり、部品点数を飛躍的に減少させることができる。また、通常用いられる冷陰極管の消費電力は、図１０に示されるように電圧降下グラフと相関があるので、Ｕ字管で電極の数が減ることにより、消費電力を極端に減らすことが可能となる。つまり、陰極降下電圧は、金属の仕事関数によりほぼ決まるものであることから、電極の個数の減少が消費電力の低減に有効である。この場合、U字管一つが直管２本分に相当することになり、光源８３の総長さは同等だが、電極数は半分に減ることになる。このような曲線部分を有する光源ランプを備え、更に光拡散層を有するものを用いると、例えば、直下型バックライトに好適であり、特に大型化において有利なものとなる。
また、本発明者らは、曲線部分を有するＵ字管以外であっても、折り返し部分を有する光源ランプ、例えば２つの屈曲部と該屈曲部の間の直線部とからなるＵ字管に類似する構造を有する光源ランプ（以下、「Ｕ字管もどき」ともいう）であれば、Ｕ字管の場合と同様の効果を得ることができることにも着目した。【０００９】
一方、直下型バックライトに直管ＣＣＦＴ（冷陰極管：Ｃｏｌｄ  Ｃａｔｈｏｄｅ  Ｆｌｕｏｒｅｓｃｅｎｔ  Ｔｕｂｅ）を使ったものと、Ｕ字管やＵ字管もどきを使ったものとを比較すると、直管においては、図１１−ａに示されるように、ランプ８３間のピッチが等しければ表示装置の面内における光源密度は均等なものになり、また、光が拡散していく癖である配光特性も面内で均一なものが自然とできることになる。これに対して、Ｕ字管やＵ字管もどきにおいては、図１１−ｂや１１−ｃに示される点線で囲んだ領域において表示ムラが生じることになる。これは、点線で囲んだ領域だけが、光源密度が異常に高く目立って明るくなってしまい、表示ムラとなり、また、点線で囲んだ領域は、光源が縦を向いているので、配光特性もその他の領域と異なり、視角を振って見ると、より明らかな表示ムラとして認識されてしまうことによると考えられる。
これらのことから、テレビのような高品位を要求される表示装置においては、直下型バックライトに好適であるＵ字管又はＵ字管もどき等の折り返し部分（曲線部分）を有する光源ランプと光拡散層とを有するものとするのがよいが、この場合に表示ムラを充分に抑制できれば、高品位で商品性の高いものとすることができることに着目した。そして、このような表示装置用照明装置において、光源ランプの折り返し部分（曲線部分）から生じる光の少なくとも一部が減光又は遮光された構成とすればよいことを見いだし、Ｕ字管やＵ字管もどき等に特有の利点を損なうことなく、上記課題をみごとに解決することができることに想到し、本発明に到達したものである。【００１０】
すなわち本発明は、光源ランプ及び光拡散層を有する表示装置用照明装置であって、上記光源ランプは、曲線部分を有するものであり、上記表示装置用照明装置は、光源ランプの曲線部分から生じる光の少なくとも一部が減光又は遮光されたものであることを特徴とする表示装置用照明装置である。
本発明はまた、光源ランプ及び光拡散層を有する表示装置用照明装置であって、上記光源ランプは、折り返し部分を有するものであり、上記表示装置用照明装置は、光源ランプの折り返し部分から生じる光の少なくとも一部が減光又は遮光されたものであることを特徴とする表示装置用照明装置でもある。
以下に本発明を詳述する。【００１１】
本発明の表示装置用照明装置は、光源ランプ及び光拡散層を有するものであり、このような照明装置は、液晶表示装置用の照明装置として好適である。本発明においては、特に直下型バックライトとして用いることが好ましい。また、エッジライト型のバックライトに適用することも可能である。
上記照明装置としては、直下型では、反射シート上にランプ支持部を介しての光源ランプが配置された形態等が挙げられる。このような構成において、光源ランプは１本又は複数本用いられることになるが、複数本用いる構成において本発明を適用することが好ましい。
また、エッジライト型では、透明な樹脂製導光板の１又は２以上の側面にランプ支持部を介して光源ランプが配置された形態等が挙げられる。なお、本願明細書における「以上」、「以下」は、当該数値を含むものである。【００１２】
上記光源ランプとしては、例えば、冷陰極蛍光管、熱陰極蛍光管等の蛍光管等が好適に用いられる。本発明においては、折り返し部分（曲線部分）を有するものを必須とすることになる。曲線部分を有する光源ランプとしては、Ｕ字管光源ランプを用いることが好ましい。その他にも、Ｓ字管光源ランプやＷ字管光源ランプ等が挙げられる。また、２以上の屈曲部と該屈曲部の間の直線部とからなる折り返し部分を有する光源ランプも好適に用いられ、中でも、２つの屈曲部と該屈曲部の間の直線部とからなるＵ字管に類似する構造を有する光源ランプ、すなわちＵ字管光源ランプのＵ字曲線部分をＵ字と形状が類似するコの字の折り返し部分に置き換えたＵ字管もどき光源ランプ（擬Ｕ字管光源ランプ）が特に好適に用いられる。これらの形態により、部品点数の削減と共に、光源ランプの電極の総数を減らすことで、表示装置用照明装置全体での消費電力を低減することが可能となる。また、Ｕ字管や擬Ｕ字管等を用いた場合には、光源ランプの電極を片側に配置することができることから、駆動回路を片側に集約することが可能となる。一方、Ｓ字管や擬Ｓ字管等を用いた場合には、光源ランプの電極は両側に配置されることとなるため、光源ランプの出射光における光学特性の均一化においては有利である。
上記光源ランプの好ましい配置形態は、光の均一性の点から、光源ランプの曲線部分や折り返し部分を除く直線部分が同一平面内において、互いに平行で等間隔に配置された形態である。【００１３】
上記光拡散層は、拡散板や拡散シートにより構成されることになり、光源ランプの像を消して表示するために設けられるものである。
本発明の照明装置においては、これらの必須構成部材を有する限り、その他の構成部材を含んでいてもよい。
上記照明装置を液晶表示装置に適用する場合、通常では反射シート上に光源ランプが配置され、更に拡散板や、拡散シート、集光レンズシート、光偏光選択性反射透過シート、保護・拡散シート、電磁遮蔽シート（導電シート、ＩＴＯシート）等の各種光学シート等が積層配置されて照明装置が構成され、液晶パネルと共に液晶表示装置が構成されることとなる。【００１４】
本発明の表示装置用照明装置は、光源ランプの折り返し部分（曲線部分）から生じる光の少なくとも一部が減光又は遮光されたものである。これにより、光源密度や配光特性に起因する表示ムラを抑制し、Ｕ字管や擬Ｕ字管等に特有の利点を損なうことなく優れた表示品位を得ることが可能となる。
本発明においては、光源ランプの折り返し部分（曲線部分）から生じる光の少なくとも一部が減光又は遮光されるようにすればよいが、例えば、曲線部分については、図６−ａに示されるように、光源ランプ１１の曲線部分の内側径の頂点から外側の部分や、図６−ｂに示されるように、光源ランプ１１の曲線部分の曲がり始めの部分から外側の部分が減光又は遮光されるようにすることが好ましい。また、曲線部分以外の折り返し部分については、図７−ａに示されるように、光源ランプ１１の折り返し部分の屈曲部の間の直線部や、図７−ｂに示されるように、折り返し部分を構成する屈曲部及び直線部の両方が減光又は遮光されるようにすることが好ましい。なお、これらの図においては、減光又は遮光される部分が斜線で示されている。【００１５】
上記表示装置用照明装置の好ましい形態としては、（１）光源ランプの折り返し部分（曲線部分）の少なくとも一部をランプフレームで覆い隠す構造を有するものである形態、（２）光源ランプの折り返し部分（曲線部分）の少なくとも一部の表示側に減光又は遮光処理が施された光学部材を有するものである形態、（３）光源ランプの折り返し部分（曲線部分）の少なくとも一部を有効表示領域の外に有するものである形態、（４）光源ランプの折り返し部分（曲線部分）の少なくとも一部に減光又は遮光処理が施されたものである形態、（５）光源ランプの折り返し部分（曲線部分）の少なくとも一部の表示側とは反対側に減光処理が施された反射部材を有するものである形態が挙げられ、これらのいずれか又は組み合わせた形態とすることにより、本発明における作用効果を充分に発揮することができる。【００１６】
上記（１）〜（５）の形態において、光源ランプの折り返し部分（曲線部分）からの光を減光又は遮光する手段としては、光の透過を減少又は遮断することができる手段であればよく、例えば、ランプフレームを用いる場合には、光を減光又は遮光することができる樹脂製のフレーム等を用いるのが好適である。光学部材を用いる場合には、減光又は遮光処理が施された光学部材は、拡散板、拡散シート及びレンズシートからなる群より選ばれた少なくとも１つ以上の光学部材であることが好ましい。すなわち減光又は遮光処理が拡散板に施されている形態、減光又は遮光処理が拡散シートに施されている形態、減光又は遮光処理がレンズシートに施されている形態が好ましく、これらを組み合わせた形態であってもよい。これらの光学部材は、容易に減光又は遮光処理を施すことができる。中でも、光源ランプの折り返し部分（曲線部分）の少なくとも一部の上（表示側）にある拡散板や拡散シート、レンズシート等の光学シートの一部に、光の透過量が減少するように着色したり、光が光源ランプ側に反射するように白くしたりすることにより減光処理を施すのがより好適である。光源ランプの折り返し部分（曲線部分）の少なくとも一部に減光又は遮光処理が施される場合には、減光又は遮光するための部材が取り付けられた形態や、光源ランプに直接減光又は遮光処理を行う手法として、印刷等の塗料塗布によるものが挙げられる。中でも、減光又は遮光処理は、光源ランプの折り返し部分（曲線部分）の変形自由度を制約する機能を有することが好ましく、例えば、減光又は遮光するための部材や塗料からなる塗膜がこのような機能を有することで、折り返し部分（曲線部分）という最も強度の弱い部分の保護を図り、変形による光源ランプの破壊を防ぐ効果があり、光源ランプの取り扱い性を極めて大きく向上させることができる。例えば、Ｕ字管や擬Ｕ字管の場合、それぞれＵ字曲線部やコの字部を覆う形のゴム等の光源ホルダーを取り付けるのが好適である。また、反射部材を用いる場合には、減光処理が施された反射部材は、反射シートであることが好ましく、容易に減光又は遮光処理を施すことができる。例えば、光源ランプからの光を表示側に反射させるための白い反射シートを用いる場合には、光源ランプの折り返し部分（曲線部分）の少なくとも一部の下（表示側とは反対側）にある反射シートの一部に、光の反射量が減少するように着色することにより減光処理を施すのが好適である。
また、上記（２）、（４）及び（５）の形態において、減光又は遮光処理は、印刷により施されたものであることが好ましく、印刷を用いることで、容易かつ安価に処理が可能である。更に、上記（２）、（４）及び（５）の形態において、減光処理は、減光度合いの変化をつけたグラデーションを施したものであることが好ましく、減光処理にグラデーションを施すことにより、より好適な表示品位を得ることが可能となる。中でも、印刷を用いることにより、非常に容易にグラデーションを施すことができる。【００１７】
本発明はまた、上記表示装置用照明装置を備える液晶表示装置でもある。このような液晶表示装置は、Ｕ字管や擬Ｕ字管等の曲線部分や折り返し部分を有する光源ランプを用いることにより、部品点数を減少させ、また、消費電力の面で効果的なものとしたうえで、Ｕ字管や擬Ｕ字管等の光源ランプに特有の利点を損なうことなく、表示ムラを抑制して優れた表示品位を得る等の作用効果を奏することが可能であり、しかも光源ランプを効果的にかつ簡便に格納することができる構造を有する透過型又は半透過型液晶表示装置として、例えば、民生映像用モニタ、産業機器用モニタ、情報携帯端末等の表示パネルに有効に用いることができるものである。
本発明は更に、上記表示装置用照明装置に用いられる光源ランプでもある。すなわち、上記表示装置用照明装置に適合するように設定された光源ランプも本発明の一つであり、上記表示装置の分野において有利な作用効果を奏するものである。
【発明の効果】
【００１８】
本発明の表示装置用照明装置は、上述のような構成であるので、光源ランプが折り返し部分（曲線部分）を有することにより、部品点数の削減と共に、電極の数を減らして消費電力を低減することが可能となる。また、光源ランプの折り返し部分（曲線部分）から生じる光の少なくとも一部が減光又は遮光されることにより、有効表示領域における光源密度及び光の配光特性を均一にすることができるので、表示ムラを抑制して表示品位の優れた表示装置を提供することが可能なものである。
【発明を実施するための最良の形態】
【００１９】
以下に実施例を掲げて本発明を更に詳細に説明するが、本発明はこれらの実施例のみに限定されるものではない。
【実施例１】
【００２０】
図１−ａ及び図１−ｂに、直下型液晶表示装置の照明装置に本発明の上記（１）の好ましい形態を適用した場合の形態を示す。この形態は、光源ランプ１１の曲線部分の一部又は全部を減光又は遮光することができるランプフレーム８４で覆い隠す構造としたものであり、通常用いられるランプフレーム８４の中に光源ランプ１１の曲線部分の一部又は全部が格納されるようにすることにより液晶表示装置用照明装置が構成されている。
この場合には、Ｕ字管のＵ字曲線部をランプフレームで覆い隠すことにより、直管を用いる場合と同じ光学特性を与える構成となっている。これにより、Ｕ字管特有の利点を損なうことなく、ランプフレームによってＵ字管のＵ字曲線部が減光又は遮光され、光源ランプの直線部分による光源密度と配光特性が発現されることから、面内で光源密度を均等なものとし、配光特性も均一なものとして優れた表示品位を実現することになる。
なお、本発明の表示装置用照明装置により構成される直下型液晶表示装置としては、例えば、板金８１に高反射性樹脂８２を配置し、その上部に端部等を絶縁性樹脂で被覆されたＵ字管１１を格納フレーム（ランプフレーム）８４により配置し、拡散板８５、拡散板８５の上に拡散シート、集光レンズ、光偏光選択性反射透過シート、保護・拡散シート、電磁遮蔽シート（導電シート、ＩＴＯシート）等の各種光学シート８６、液晶パネル素子８７、フレーム８８等が配置された構造の液晶表示装置が挙げられる。
【実施例２】
【００２１】
図２−ａ及び図２−ｂに、直下型液晶表示装置の照明装置に本発明の上記（２）の好ましい形態を適用した場合の形態を示す。この形態は、光源ランプ１１の曲線部分の一部又は全部の表示側に減光又は遮光処理が施された光学部材２１を有する構造としたものである。減光又は遮光処理が施された光学部材２１としては、光透過率の低い領域２１ａが設けられた拡散板、拡散シート等が挙げられ、中でも、斜め方向に対する減光又は遮光効果を充分に得るためには、光源の近くに配置される光学部材であることが好ましい。光透過率の低い領域２１ａは、例えば、光学部材２１の光源ランプ側の面に白色のインクを塗布することによって形成することができ、この場合、光源ランプ２１側への光反射率が高いことから、光のロスを減らすことができる。また光透過率の低い領域２１ａの一部に、光透過用の開口を設けても構わない。この形態では、光源ランプ１１の曲線部分の一部又は全部を光学部材２１の減光又は遮光処理された部分により覆うように、光源ランプ１１上に光学部材２１を積層配置することにより液晶表示装置用照明装置が構成されている。
この場合には、Ｕ字管のＵ字曲線部を光学部材で覆うことにより、直管を用いる場合と同じ光学特性を与える構成となっている。これにより、Ｕ字管特有の利点を損なうことなく優れた表示品位を実現することになる。
【実施例３】
【００２２】
図３に、直下型液晶表示装置の照明装置に本発明の上記（３）の好ましい形態を適用した場合の形態を示す。この形態は、光源ランプ１１の曲線部分の一部又は全部を有効表示領域３１の外に配置した構造とすることにより液晶表示装置用照明装置が構成されている。
この場合には、Ｕ字管のＵ字曲線部を有効表示領域の外に配置することにより、直管を用いる場合と同じ光学特性を与える構成となっている。これにより、Ｕ字管特有の利点を損なうことなく優れた表示品位を実現することになる。
【実施例４】
【００２３】
図４に、直下型液晶表示装置の照明装置に本発明の上記（４）の好ましい形態を適用した場合の形態を示す。この形態は、光源ランプ１１の曲線部分の一部又は全部に減光又は遮光するための部材４１を取り付けた構造とすることにより液晶表示装置用照明装置が構成されている。減光又は遮光するための部材４１としては、光透過率の低い材質からなり、好ましくは弾性材料からなるものが好適に用いられる。
この場合には、Ｕ字管のＵ字曲線部を減光又は遮光するための部材で覆い隠すことにより、直管を用いる場合と同じ光学特性を与える構成となっている。これにより、Ｕ字管特有の利点を損なうことなく優れた表示品位を実現することになる。またＵ字管のＵ字曲線部を減光又は遮光するための部材で覆うことにより、Ｕ字曲線部の開閉を防止することができ、Ｕ字管を効果的に固定することもできる。
【実施例５】
【００２４】
図５に、直下型液晶表示装置の照明装置に本発明の上記（５）の好ましい形態を適用した場合の形態を示す。この形態は、光源ランプ１１の曲線部分の一部又は全部の表示側とは反対側に減光処理が施された反射部材５１を有する構造としたものであり、光源ランプ１１の曲線部分の一部又は全部が反射部材５１の減光処理が施された領域５１ａ上に配置されるようにすることにより液晶表示装置用照明装置が構成されている。減光処理が施された反射部材５１としては、灰色、黒色等からなる光反射率の低い領域５１ａが設けられた反射シート等が挙げられる。
この場合には、Ｕ字管のＵ字曲線部を減光処理が施された領域上に配置することにより、直管を用いる場合と同じ光学特性を与える構成となっている。これにより、Ｕ字管特有の利点を損なうことなく優れた表示品位を実現することになる。
【実施例６】
【００２５】
実施例６は、実施例１のＵ字管形状の光源ランプをコの字状の折り返し部分を有する擬Ｕ字管形状の光源ランプに置き換えたものである。すなわち、この形態は、光源ランプのコの字部分の一部又は全部を減光又は遮光することができるランプフレームで覆い隠す構造としたものであり、通常用いられるランプフレームの中に光源ランプのコの字部分の一部又は全部が格納されるようにすることにより液晶表示装置用照明装置が構成されている。従って、実施例６によれば、実施例１と同様の作用効果を得ることができる。
【実施例７】
【００２６】
実施例７は、実施例２のＵ字管形状の光源ランプをコの字状の折り返し部分を有する擬Ｕ字管形状の光源ランプに置き換えたものである。すなわち、この形態は、光源ランプのコの字部分の一部又は全部を光学部材の減光又は遮光処理された部分により覆うように、光源ランプ上に光学部材を積層配置することにより液晶表示装置用照明装置が構成されている。従って、実施例７によれば、実施例２と同様の作用効果を得ることができる。
【実施例８】
【００２７】
実施例８は、実施例３のＵ字管形状の光源ランプをコの字状の折り返し部分を有する擬Ｕ字管形状の光源ランプに置き換えたものである。すなわち、この形態は、光源ランプのコの字部分の一部又は全部を有効表示領域の外に配置した構造とすることにより液晶表示装置用照明装置が構成されている。従って、実施例８によれば、実施例３と同様の作用効果を得ることができる。
【実施例９】
【００２８】
実施例９は、実施例４のＵ字管形状の光源ランプをコの字状の折り返し部分を有する擬Ｕ字管形状の光源ランプに置き換えたものである。すなわち、この形態は、光源ランプのコの字部分の一部又は全部に減光又は遮光するための部材を取り付けた構造とすることにより液晶表示装置用照明装置が構成されている。従って、実施例９によれば、実施例４と同様の作用効果を得ることができる。
【実施例１０】
【００２９】
実施例１０は、実施例５のＵ字管形状の光源ランプをコの字状の折り返し部分を有する擬Ｕ字管形状の光源ランプに置き換えたものである。すなわち、この形態は、光源ランプのコの字部分の一部又は全部の表示側とは反対側に減光処理が施された反射部材を有する構造としたものであり、光源ランプのコの字部分の一部又は全部が反射部材の減光処理が施された領域上に配置されるようにすることにより液晶表示装置用照明装置が構成されている。従って、実施例１０によれば、実施例５と同様の作用効果を得ることができる。【００３０】
なお、本願は、２００４年１月８日に出願された日本国特許出願第２００４−３０７６号「表示装置用照明装置、液晶表示装置及び光源ランプ」を基礎として、合衆国法典３５巻第１１９条に基づく優先権を主張するものである。該出願の内容は、その全体が本願中に参照として組み込まれている。
【図面の簡単な説明】
【００３１】
【図１−ａ】光源ランプの曲線部分の少なくとも一部をランプフレームで覆い隠す構造を有する形態の本発明の照明装置を適用した直下型液晶装置を示す平面模式図である。
【図１−ｂ】図１−ａの照明装置の断面模式図である。
【図２−ａ】光源ランプの曲線部分の少なくとも一部の表示側に減光又は遮光処理が施された光学部材を有する形態の本発明の照明装置を適用した直下型液晶装置を示す平面模式図である。
【図２−ｂ】図２−ａの照明装置の断面模式図である。
【図３】光源ランプの曲線部分の少なくとも一部を有効表示領域の外に有する形態の本発明の照明装置を示す平面模式図である。
【図４】本発明の照明装置における、曲線部分の少なくとも一部に減光又は遮光するための部材が取り付けられた光源ランプを示す平面模式図である。
【図５】光源ランプの曲線部分の少なくとも一部の表示側とは反対側に減光処理が施された反射部材を有する形態の本発明の照明装置を示す平面模式図である。
【図６−ａ】光源ランプの曲線部分の拡大平面模式図である。
【図６−ｂ】光源ランプの曲線部分の拡大平面模式図である。
【図７−ａ】光源ランプの折り返し部分の拡大平面模式図である。
【図７−ｂ】光源ランプの折り返し部分の拡大平面模式図である。
【図８】エッジライト型バックライトの構造の要部を示す断面模式図である。
【図９】直下型バックライトの構造の要部を示す分解斜視模式図である。
【図１０】冷陰極管の長さと電圧降下との関係を示すグラフである。
【図１１−ａ】直管形状の光源ランプを用いた直下型バックライトの要部を示す平面模式図である。
【図１１−ｂ】Ｕ字管形状の光源ランプを用いた直下型バックライトの要部を示す平面模式図である。
【図１１−ｃ】Ｕ字管もどき形状の光源ランプを用いた直下型バックライトの要部を示す平面模式図である。
【符号の説明】
【００３２】
１１：光源ランプ（Ｕ字管）
２１：減光又は遮光処理が施された光学部材
２１ａ：光透過率の低い領域
３１：有効表示領域
４１：減光又は遮光するための部材
５１：反射部材
５１ａ：反射部材５１の減光処理が施された領域
７１：導光板
７２：棒状光源
７３：フレーム
７４：光学シート
７５：液晶パネル
８１：板金
８２：高反射性樹脂
８３：棒状光源
８４：格納フレーム（ランプフレーム）
８５：拡散板
８６：光学シート
８７：表示素子（液晶パネル素子）
８８：フレーム
【図１−ａ】
0004771810.tif 000002
【図１−ｂ】
0004771810.tif 000003
【図２−ａ】
0004771810.tif 000004
【図２−ｂ】
0004771810.tif 000005
【図３】
0004771810.tif 000006
【図４】
0004771810.tif 000007
【図５】
0004771810.tif 000008
【図６−ａ】
0004771810.tif 000009
【図６−ｂ】
0004771810.tif 000010
【図７−ａ】
0004771810.tif 000011
【図７−ｂ】
0004771810.tif 000012
【図８】
0004771810.tif 000013
【図９】
0004771810.tif 000014
【図１０】
0004771810.tif 000015
【図１１−ａ】
0004771810.tif 000016
【図１１−ｂ】
0004771810.tif 000017
【図１１−ｃ】
0004771810.tif 000018